【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
正極及び負極の電極端子を有する複数の単電池の隣り合う電極端子間を接続部材で接続して構成される電池モジュールに取付けられる配線モジュールであって、
前記単電池の状態を検知するための検知端子と、
前記検知端子を保持する樹脂プロテクタと、を備え、
前記検知端子は、板状の板状部と、前記板状部に連なり電線の端末部に接続される電線接続部とを備え、
前記板状部には、前記検知端子の表裏を識別するための表裏識別手段が設けられており、
前記表裏識別手段は、前記板状部の面に対して突出する突部であり、
前記板状部は、矩形状であって、その角部に前記突部が形成されており、
前記樹脂プロテクタには、前記接続部材を外部と仕切る仕切り壁が設けられており、
前記仕切り壁には、外方側に迂回し、内側に前記角部が配される迂回部が設けられている配線モジュール。
【請求項２】
前記突部は、前記板状部の面に対して突出する板状の突片である請求項１に記載の配線モジュール。
【請求項３】
前記検知端子には、締結部材による締結のための挿通孔が貫通形成されており、
前記突部は、前記締結部材を締結するための締結用工具の領域外に形成されている請求項１又は請求項２に記載の配線モジュール。
【請求項４】
前記突部は、前記板状部のうち、前記電線接続部側の位置に設けられている請求項１ないし請求項３のいずれか一項に記載の配線モジュール。
【請求項５】
前記検知端子には、締結部材による締結のための挿通孔が貫通形成されており、
前記突部の突出寸法は、前記締結部材を締結するための締結用工具に当接しない寸法に設定されている請求項１又は請求項２に記載の配線モジュール。
【請求項６】
前記樹脂プロテクタには、前記電線の端末部及び前記電線接続部の少なくとも一方からなる被通し部が通される通し溝と、前記被通し部を通し溝内に保持する保持片と、が設けられており、
前記検知端子の表裏を反対に装着した場合には、前記被通し部が前記通し溝内に保持されない位置に配される請求項１ないし請求項５のいずれか一項に記載の配線モジュール。
【請求項７】
前記樹脂プロテクタには、前記接続部材及び前記検知端子を保持する保持部が設けられており、
前記検知端子は、前記接続部材に重ねられている請求項１ないし請求項６のいずれか一項に記載の配線モジュール。
【手続補正２】
【補正対象書類名】明細書
【補正対象項目名】０００８
【補正方法】変更
【補正の内容】
【０００８】
本発明は正極及び負極の電極端子を有する複数の単電池の隣り合う電極端子間を接続部材で接続して構成される電池モジュールに取付けられる配線モジュールであって、前記単電池の状態を検知するための検知端子と、前記検知端子を保持する樹脂プロテクタと、を備え、前記検知端子は、板状の板状部と、前記板状部に連なり電線の端末部に接続される電線接続部とを備え、前記板状部には、前記検知端子の表裏を識別するための表裏識別手段が設けられており、前記表裏識別手段は、前記板状部の面に対して突出する突部であり、前記板状部は、矩形状であって、その角部に前記突部が形成されており、前記樹脂プロテクタには、前記接続部材を外部と仕切る仕切り壁が設けられており、前記仕切り壁には、外方側に迂回し、内側に前記角部が配される迂回部が設けられている。
【手続補正３】
【補正対象書類名】明細書
【補正対象項目名】０００９
【補正方法】変更
【補正の内容】
【０００９】
本構成によれば、表裏識別手段により検知端子の表裏を識別することができるため、検知端子の表裏の組み付けの誤りを防止することができる。また、検知端子の表裏を識別できるため、検知端子の取付作業性を向上させることが可能になる。
また、表裏識別手段を容易に形成することができる。
さらに、締結用工具が接触しない領域となりやすい迂回部の内側を突部を配するスペースとして利用することが可能になる。
【手続補正４】
【補正対象書類名】明細書
【補正対象項目名】００１０
【補正方法】変更
【補正の内容】
【００１０】
上記構成の実施態様として以下の構成を有すれば好ましい。
【手続補正５】
【補正対象書類名】明細書
【補正対象項目名】００１３
【補正方法】削除
【補正の内容】
【手続補正６】
【補正対象書類名】明細書
【補正対象項目名】００１９
【補正方法】変更
【補正の内容】
【００１９】
【図１】実施形態１の配線モジュールが取り付けられた電池モジュールについて一部を省略して表した平面図
【図２】複数の単電池を示す平面図
【図３】配線モジュールについて一部を省略して表した平面図
【図４】接続部材及び第１検知端子が保持された保持部を拡大して示した図
【図５】図４のＢ−Ｂ断面を示した図
【図６】第１検知端子を示す平面図
【図７】第１検知端子を示す側面図
【図８】第１検知端子を表裏反対に装着した状態を示す図
【図９】参考例１の接続部材及び第１検知端子が保持された保持部を拡大して示した図
【図１０】図９のＣ−Ｃ断面を示した図
【図１１】第１検知端子を示す平面図
【図１２】第１検知端子を示す側面図
【図１３】第１検知端子を表裏反対に装着した状態を示す図
【図１４】参考例２の接続部材及び第１検知端子が保持された保持部を拡大して示した図
【図１５】第１検知端子を示す平面図
【図１６】第１検知端子を示す側面図
【手続補正７】
【補正対象書類名】明細書
【補正対象項目名】００５３
【補正方法】変更
【補正の内容】
【００５３】
＜参考例１＞
参考例１について、図９ないし図１２を参照しつつ説明する。実施形態１では、突片２５，２５をソケットＳＫの進入する領域外に設けたが、参考例１では、突片４７Ａ，４７Ｂの突出寸法を小さくし、ソケットＳＫが配される領域内に設けたものである。以下では、実施形態１と同一の構成については、同一の符号を付して説明を省略する。
【手続補正８】
【補正対象書類名】明細書
【補正対象項目名】００５６
【補正方法】変更
【補正の内容】
【００５６】
参考例１によれば、以下の作用・効果を奏する。
第１検知端子４５（検知端子）には、ボルトＢＴ（締結部材）による締結のための挿通孔２４Ａが貫通形成されており、突片４７Ａ，４７Ｂ（突部）の突出寸法は、ボルトＢＴを締結するためのソケットＳＫ（締結用工具）に当接しない寸法に設定されている。
このようにすれば、ソケットＳＫがボルト締結する際に、ソケットＳＫが突片４７Ａ，４７Ｂに接触することを防止することが可能になる。
【手続補正９】
【補正対象書類名】明細書
【補正対象項目名】００５７
【補正方法】変更
【補正の内容】
【００５７】
＜参考例２＞
参考例２について、図１４ないし図１６を参照しつつ説明する。上記実施形態及び参考例１では、板片状の突片２５，２５，４７Ａ，４７Ｂにより検知端子２３，４５の表裏を認識するようにしていたが、参考例２では、図１５に示すように、検知端子４８の第１板状部４９を部分的に変形させてなる山形（逆Ｕ字形）の突部５０を設けて検知端子４８の表裏を認識するようにしたものである。
突部５０は、第１板状部４９の先端部に一対設けられるとともに、第１板状部４６の後端部に一対設けられており、共に、検知端子４８の軸線方向に沿った方向に延びている。
【手続補正１０】
【補正対象書類名】明細書
【補正対象項目名】００５８
【補正方法】変更
【補正の内容】
【００５８】
＜他の実施形態＞
本発明は上記記述及び図面によって説明した実施形態に限定されるものではなく、例えば次のような実施形態も本発明の技術的範囲に含まれる。
（１）上記実施形態及び参考例では、表裏識別手段として、突片２５，２５，４７Ａ，４７Ｂや突部５０を設けたが、これに限られない。例えば、参考例として、表裏を視認可能なマークを第１板状部（板状部）に付したり、視認以外（手触り等）で表裏を識別可能な表裏識別手段を設けてもよい。また、表裏反対に装着した際に第１電線接続部２６側が浮き上がる検知端子に限られず、少なくとも表裏が反対であることを認識できる検知端子であればよい。
【手続補正１１】
【補正対象書類名】明細書
【補正対象項目名】００５９
【補正方法】変更
【補正の内容】
【００５９】
（２）上記実施形態では、第１検知端子２３に表裏識別手段を設けたが、これに限らず、第２検知端子２７に表裏識別手段を設けるようにしてもよい。また、第１検知端子２３及び第２検知端子２７の双方に表裏識別手段を設けてもよい。
（３）上記実施形態及び参考例では、配線モジュール２０は、接続部材２１及び第１検知端子２３を保持する構成であったが、これに限らず、接続部材２１及び第１検知端子２３を保持せず、第２検知端子２７を保持するようにしてもよい。この場合、第２検知端子２７に上記実施形態の突片２５，２５，４７Ａ，４７Ｂや突部５０を設けて表裏を識別するようにすればよい。
【手続補正１２】
【補正対象書類名】明細書
【補正対象項目名】００６０
【補正方法】変更
【補正の内容】
【００６０】
（４）上記実施形態では、接続部材２１は、異極の電極端子１２Ａ，１２Ｂを接続（直列接続）するものとしたが、これに限られず、同極の電極端子１２Ａ，１２Ｂを接続（並列接続）するものでもよい。例えば、上記実施形態の電池モジュール１０に更に別の単電池１１を並列接続し、この並列接続における同極の電極端子１２Ａ，１２Ｂを複数の接続部材２１で接続するようにしたものでもよい。